(57)【要約】【課題】表示器を鏡としても使用でき、キーロック状態において省電力化を図ることが可能な携帯電話機を提供する。【解決手段】表示器１０の前面に、電圧を印加しないときは透過状態で、電圧を印加したときには鏡面状態になるパネル８を配置し、キーロック状態に設定したとき、このパネル８を鏡面状態、表示器１０を表示オフ状態にし、キーロック状態で着信があるなど特定の条件下においては、適宜パネル８を透過状態、表示器１０を表示オン状態にすることができるように構成すると共に、キーロックを解除した状態では、いずれかのキーを操作している間は少なくともパネル８を透過状態、表示器１０を表示オン状態にし、キー操作を一定時間操作しなかった場合にはパネル８を鏡面状態、表示器１０を表示オフ状態にするように構成する。【選択図】　図１
2004023651.tif 000002
【特許請求の範囲】
【請求項１】
表示器と、
前記表示器の表示面側に設けられ、電圧を印加することにより透過状態から鏡面状態に変化するパネルと、
キーロック状態に設定されると、前記パネルを鏡面状態にし、前記表示器の電源をオフする制御手段とを備えたことを特徴とする電話機。
【請求項２】
前記キーロック状態において着信があったとき、前記パネルを透過状態にし、前記表示器の電源をオンする第２の制御手段を備えたことを特徴とする請求項１記載の電話機。
【請求項３】
前記着信に応答があったとき、前記パネルを鏡面状態にし、前記表示器の電源をオフする第３の制御手段を備えたことを特徴とする請求項２記載の電話機。
【請求項４】
前記キーロック状態において未確認の着信履歴情報または未確認の受信メールがある場合、前記パネルを透過状態にし、前記表示器の電源をオンする第２の制御手段を備えたことを特徴とする請求項１記載の電話機。
【請求項５】
前記未確認の着信履歴情報または前記未確認の受信メールの確認が行われると、前記パネルを鏡面状態にし、前記表示器の電源をオフする第３の制御手段を備えたことを特徴とする請求項４記載の電話機。
【発明の詳細な説明】
【０００１】
【発明の属する技術分野】
本発明は、携帯電話機、簡易型携帯電話機、携帯情報端末（ＰＤＡ）、及び据え置き型の電話機等を含む電話機に関する。
【０００２】
【従来の技術】
近年、携帯電話機において、使用者の利便性を考慮して電話機本体の表面に鏡を設けたものが考案されている。この種のものとして、例えば、特開２０００−１９６７１８号公報には、携帯電話機の本体前面部を鏡面部とし、その一部をハーフミラーで構成すると共に、ハーフミラーの背後に液晶表示器を設け、液晶表示器のバックライトが消灯しているときには、ハーフミラー部を含めて鏡面部全体が鏡として作用し、バックライトが点灯しているときには、ハーフミラーを通して液晶表示器の表示が見える状態になるというものが開示されている。また、特開２０００−２９９７１９号公報にも上記公報で開示されたものと同様に、液晶表示器の表示面側にハーフミラーを設けたものが開示されている。
【０００３】
【発明が解決しようとする課題】
しかしながら、上述した技術では、液晶表示器のバックライトが消灯しているときには鏡として機能し、液晶表示器のバックライトが点灯しているときのみ液晶表示器の表示が認識できるようになっているため、液晶表示器で表示を行う場合には必ず液晶表示器及びバックライトを共にオンさせる必要があり、電力消費が嵩み、電池を電源とする電話機においては長時間の使用が困難になるという問題点がある。
【０００４】
また、一般に、携帯電話機等においては、特定のキー操作（専用ボタンの押下等）または特定の条件下（着信時やメール受信時等）でなければキー操作できない所謂キーロック状態を設定できるように構成されていることが多い。このキーロック状態は、携帯電話機を使用しない場合等に誤操作を起こしてしまわないように設定するものである為、この状態で携帯電話機の液晶表示器を確認することは少なくなるが、従来は、このキーロック状態においても、何らかのイラストや日時情報等を液晶表示器に表示しており、このために液晶表示器は常に点灯（オン）したままであった。この従来の携帯電話機に上記２つの公報に記載された技術をそのまま採用した場合、液晶表示器の表示を行うためには、液晶表示器に加えてバックライトも常に点灯させる必要があり、キーロック状態において電力消費が大きくなってしまうという問題点があった。
【０００５】
本発明は、以上のような従来の問題点を解決するものであり、鏡としての機能を持ちながらキーロック状態における電力消費を少なくすることが可能な電話機を提供することを目的とするものである。
【０００６】
【課題を解決するための手段】
本発明の電話機は、表示器と、前記表示器の表示面側に設けられ、電圧を印加することにより透過状態から鏡面状態に変化するパネルと、キーロック状態に設定されたとき、前記パネルを鏡面状態にし、前記表示器の電源をオフする制御手段とを備えた構成とした。
【０００７】
この構成により、表示器を表示させる必要の無いキーロック状態では、パネルを鏡として使用することができる。また、表示器もオフにしている為、電力消費を少なくすることができる。
【０００８】
また、本発明の電話機は、前記キーロック状態において着信があったとき、前記パネルを透過状態にし、前記表示器の電源をオンする第２の制御手段を備えた構成とした。
【０００９】
この構成により、キーロック状態においても、着信があれば、パネルが透過状態になり誰から着信があったかが表示器に表示されるため、パネルを通してそれを確認することができる。
【００１０】
また、本発明の電話機は、前記着信に応答があったとき、前記パネルを鏡面状態にし、前記表示器の電源をオフする第３の制御手段を備えた構成とした。
【００１１】
この構成により、キーロック状態において着信に応答して通話を行う場合、通話中は表示器の表示を確認する必要がない為、パネルを鏡面状態にし、表示器の電源をオフすることで、電力消費を少なくすることができる。
【００１２】
また、本発明の電話機は、前記キーロック状態において未確認の着信履歴情報または未確認の受信メールがある場合、前記パネルを透過状態にし、前記表示器の電源をオンする第２の制御手段を備えた構成とした。
【００１３】
この構成により、キーロック状態において、未確認の着信履歴情報または未確認の受信メールがあったときは、パネルを透過状態にし、表示器の電源をオンするので、キーロック状態において未確認の着信履歴情報や未確認の受信メールがあった場合でも、表示器に表示される内容をパネルを通して確認することができる。
【００１４】
また、本発明の電話機は、前記未確認の着信履歴情報または前記未確認の受信メールが確認されたのち、前記パネルを鏡面状態にし、前記表示器の電源をオフする第３の制御手段を備えた構成とした。
【００１５】
この構成により、キーロック状態において未確認の着信履歴情報または未確認の受信メールが確認されたとき、パネルを鏡面状態にし、表示器の電源をオフするので、電力消費を少なくすることができる。
【００１６】
【発明の実施の形態】
以下、本発明の実施の形態について図面を用いて説明する。尚、本実施の形態では、携帯電話機、簡易型携帯電話機、携帯情報端末（ＰＤＡ）、及び据え置き型の電話機等を含む電話機として、携帯電話機を例として説明する。
図１は、本発明の実施の形態における携帯電話機の概略ブロック図、図２は、同携帯電話機の外観図、図３は図２に示した携帯電話機の表示器及びパネル部分のＡ−Ａ断面図、図４、図５は同携帯電話機の動作を説明するフローチャートである。
【００１７】
図１、図２において、本実施の形態における携帯電話機１００は、アンテナ１と、このアンテナ１を通して送受信を行う送受信部２と、複数のキーで構成され、電話番号、文字、命令、その他の入力を行うキー操作部３と、着信音、通話音などを発生させるスピーカ４と、通話時に使用するマイク５、レシーバ６と、各種プログラム、各種データなどを記憶するメモリ７と、後述するパネル８を制御するためのパネル制御部９と、各種表示を行う液晶表示器などで構成された表示器１０と、この表示器１０を制御する表示器制御部１１と、これらの各部を制御する中央制御部１２を備えている。
【００１８】
この携帯電話機１００は、キー操作部３を操作して相手の電話番号を入力すると、その相手の電話番号が表示器で表示され、その状態で更にキー操作部を用いて発信操作を行うと、相手に電話をかけられるように構成されており、また、メモリ７には、相手の氏名、電話番号を電話帳として記憶しておくことができ、相手の氏名、電話番号が記憶されている場合には、相手の氏名を入力して電話番号を呼出し発信操作できるようにも構成されている。
【００１９】
そして、着信があった場合には、スピーカ４から着信音が発せられると共に、相手側（電話局側）から相手の電話番号が送信されてきた場合、それを表示器１０で表示するように構成されており、更に、メモリ７に相手の氏名、電話番号が記憶されている場合には、送信されてきた相手の電話番号とメモリ７に記憶された電話番号とを比較し、一致したものがあれば、その一致した電話番号に対応する相手の氏名も同時に表示器１０で表示するように構成されている。
【００２０】
また、着信があり、キー操作部３を操作してその着信に応答すると、マイク５、レシーバ６を用いて相手と通話可能な状態になるように構成されている。
【００２１】
そして、着信に応答して通話可能な状態になった場合と、自ら発信して通話可能な状態になった場合とのいずれの場合も、通話可能な状態になれば、中央制御部１２が適宜通話時間や通話料金をカウントし、表示器１０に表示するようにも構成されている。そして、更に、キー操作部３を操作してハンズフリー通話可能な状態にしておけば、マイク５、スピーカ４を用いて通話相手とハンズフリー通話可能な状態になるようにも構成されている。
【００２２】
また、この携帯電話機１００は、電話としての機能の他、メールやインターネット、ゲーム、時計、電卓などの機能をも備えており、それらの機能は、それそれキー操作部３によるキー入力によって選択的に機能させることができるように構成されている。
【００２３】
また、この携帯電話機１００には、キー操作部３を操作しないで予め定めた一定時間経過すると、それが中央制御部１２で検知され、中央制御部１２の制御の基で表示器１０を裏から照明するバックライトを消灯する手段が装備されているが、キー操作部３を操作すると、再びバックライトが点灯するため、不用意にキー操作を行い、電池の消耗を避けるため、予め定めた特定のキー操作又は特定の条件下でないとキー操作が行えない所謂キーロック状態を設定可能にも構成されている。
【００２４】
そして、表示器１０は、前述したように、液晶表示器１０ａで構成され、図３に示すように、液晶表示器１０ａの裏面（表示面と反対面）には、バックライト１０ｃからの光を液晶表示器１０ａの裏面に導く導光板１０ｂが配置されている。そして、表示器１０の前面（表示面）には、更に、液晶材８ａと、この液晶材８ａに電圧を印加する透明電極８ｂ、８ｃと、液晶材８ａの表側に配置された偏向板８ｄと、液晶材８ａの裏側に配置された反射形の偏向板８ｅとで構成されたパネル８が配置されている。
【００２５】
このパネル８は、透明電極８ｂ、８ｃに印加する電圧に応じて液晶の配向が変化し、偏向板８ｄ、８ｅとの関係で開口が変化するように構成されており、その結果、透明電極８ｂ、８ｃ間に電圧を加えない状態（電源オフの状態）では開口が最大となって、外部からの光線及び表示器１０側からの光線が共にほぼ完全に透過する状態になるが、電圧を加えた状態（電源オン）では、開口が最少となって表示器１０からの光線は透過せず、外部からの光線は反射されて、所謂、鏡面状態又はそれに近い状態になるように動作する。
【００２６】
このように、携帯電話機１００では、電圧を加えれば鏡面状態になり、電圧を加えなければ透過状態になるパネル８が表示器１０の前面（表示面側）に設けられている。そして、キーロック状態、或いは、キーロック状態を解除した通常の状態において、パネル８、表示器１０がそれぞれ図４、図５に示す通り動作するように構成されている。
【００２７】
すなわち、図４に示すように、キー操作部３を用いて予め定めたキーを操作し、キーロック状態に設定すると（ステップ４０１）、これが中央制御部１２で検知され、中央制御部１２がパネル制御部９を制御し、パネル８に所定の電圧を印加する。したがって、この状態でパネル８は鏡面状態になり、同時に、表示器１０は中央制御部１２、表示器制御部１１の制御の基で表示オフの状態になり、バックライト１０ｃも消灯される（ステップ４０２）。
【００２８】
すなわち、キーロック状態では、パネル８が鏡面状態で、表示器１０が透視できない状態であるので、表示器１０、バックライト１０ｃ共にオフの状態にすることができ、表示部分で必要な電力はパネル８に印加する電圧のみとなり、表示器１０とバックライト１０ｃをオンにしているときに比べ、その消費電力を著しく少なくすることができる。そして、この状態では、パネル８が鏡面状態であるため、パネル８をそのまま鏡として使用することができ、化粧やその他の用途として有効に活用することができる。
【００２９】
ところで、このキーロック状態では、特定のキー操作、或いは、特定の条件下でのキー操作でなければ、キー操作しても、それらのキー操作を中央制御部１２が無効と判断し機能させないようにしている。ここで、特定の条件下として、この携帯電話機１００では、着信があった場合や未確認の着信履歴情報或いはメール受信があった場合等が設定されており、これらの場合にはそれぞれ次の通りキー操作が有効と判断され、所要の動作を行えるように構成している。
【００３０】
以下、この動作について、詳細に説明する。
まず、中央制御部１２は、キーロック状態であっても、着信があったかどうかを常時監視しており（ステップ４０３）、着信があった場合には、中央制御部１２がこれを検出し、パネル制御部９を制御し、パネル８への電源供給を停止してパネル８を透過状態にし、同時に、表示器制御部１１を制御して、着信があった相手の氏名、電話番号などを表示器１０に表示する（ステップ４０４）。そして、バックライト１０ｃが必要であれば、バックライト１０ｃも同時に点灯させ、表示器１０を裏面から明るく照明し、更に、呼出音をスピーカ４より発するようにする。
【００３１】
呼出音を聞いたり、表示器１０の表示を見たりして、応答用のキーを操作し、この着信に応答した場合（ステップ４０５のＹ）には、中央制御部１２がこのキー操作を特定の条件下のキー操作として検知し、パネル制御部９を制御し、パネル８を鏡面状態にする。そして、表示器１０をオフにし、バックライト１０ｃもオフにする（ステップ４０６）。通話中は、この状態を維持し、通話が終了した場合（ステップ４０７のＹ）には、元のキーロック状態（ステップ４０２）に復帰する。
【００３２】
一方、着信があって、パネル８が透過状態になった状態（ステップ４０４）で、この着信に応答しなかった場合（ステップ４０５のＮ）には、中央制御部１２が、着信があってから予め定めた一定時間が経過したかどうかを判断する（ステップ４０８）。一定時間が経過していなければ、再び応答したかどうかの判断を行うステップ（ステップ４０５）に復帰し、この状態を繰り返す。応答をしないままに一定時間が経過すると、中央制御部１２がそれを検知し、パネル制御部９や表示器制御部１１を制御し、パネル８を鏡面状態にすると共に表示器１０やバックライト１０ｃを共にオフの状態にする（ステップ４０９）。そして、その後、着信中かどうかが判断され（ステップ４１０）、着信中であれば、応答したかどうかの判断（ステップ４０５）を継続して行うように動作し、着信が終了した場合には、未確認の着信履歴情報として、相手の電話番号などをメモリ７に一時記憶し（ステップ４１１）、元のキーロック状態（ステップ４０２）に復帰する。
【００３３】
キーロック状態において着信がなかった場合でも（ステップ４０３のＮ）、中央制御部１２は、未確認の着信履歴情報や受信メールがなかったかどうかを常時監視しており（ステップ４１２）、未確認の着信履歴情報や受信メールがあった場合には、パネル制御部９や表示器制御部１１をそれぞれ制御し、パネル８を透過状態にし、表示器１０を表示オンの状態にする（ステップ４１３）。そして、この場合は、電力消費を少なくするため、バックライト１０ｃはオフしており、表示器１０はそれ自体の明るさでパネル８を通して表示が見える状態にしている。
【００３４】
この状態で、次に、未確認の着信履歴情報や受信メールの確認を行うために、キー操作を行ったとすると（ステップ４１４のＹ）、中央制御部１２がそれを検知し、バックライト１０ｃを点灯させる（ステップ４１５）。したがって、この状態で、表示器１０が明るく照明され、未確認の着信履歴情報や受信メールを確実に視認することができる。
【００３５】
未確認の着信履歴情報や受信メールの確認を行うためには、いくつかのキー操作を行う必要があるが、未確認の着信履歴情報や受信メールの確認を行う状態では、キー操作を行っている限り、そのキー操作を行ってから予め定めた一定時間、パネル８や表示器１０、バックライト１０ｃなどがそのままの状態（ステップ４１５の状態）を維持するように構成している。
【００３６】
したがって、未確認の着信履歴情報や受信メールの確認を行っている間は、表示器１０がバックライト１０ｃで明るく照らされ、表示器１０の表示をパネル８を通して正確に目視することができる。
【００３７】
未確認の着信履歴情報や受信メールの確認が終了すると、それが中央制御部１２で検知され、確認された着信履歴情報や受信メールは、確認済みの着信履歴情報や受信メールとしてメモリ７に登録され（ステップ４１７）、その後、バックライト１０ｃを消灯し（ステップ４１９）、元のキーロック状態（ステップ４０２）に復帰する。
【００３８】
未確認の着信履歴情報や受信メールがあるにも関わらず、それを確認しないで放置した場合（ステップ４１４のＮ）には、そのままパネル８が透過状態、表示器１０がオン、バックライト１０ｃがオフの状態（ステップ４１３）を維持する。また、着信がなく、未確認の着信履歴情報や受信メールもない場合には、そのまま元のキーロック状態（ステップ４０２）に戻り、着信があるかどうか、未確認の着信履歴情報や受信メールがあるかどうかの判断が継続して実行される（ステップ４０３、ステップ４１２）。
【００３９】
以上、キーロック状態を設定した場合の動作について説明したが、キーロック状態は、特定のキーを操作することによってそれを解除することが可能なように構成されており、次に、キーロック状態を解除した場合の動作について、その詳細を説明する。
【００４０】
図５に示すように、特定のキー操作（例えば、専用のキーを操作する、或いは、共用のキーであっても、それを長押し操作する、或いは、特定の順に操作するなど、特定の操作を行う場合を含む）を行って、キーロック状態を解除した場合（ステップ５０１）には、中央制御部１２がそれを検知し、パネル制御部９や表示器制御部１１を制御し、パネル８を透過状態にし、表示器１０、バックライト１０ｃをそれぞれオン状態にする（ステップ５０２）。
【００４１】
そして、この状態では、中央制御部１２が、キーロック設定用のキー以外のいずれかのキーを操作しているかどうかを常時監視しており（ステップ５０３）、いずれかのキーが操作されれば、そのキー操作に応じた動作を実行する（ステップ５０４）。キー操作を行わないで予め定めた一定時間が経過すると（ステップ５０５のＹ）、それが中央制御部１２で検知され、中央制御部１２が、パネル制御部９や表示器制御部１１を制御し、パネル８を鏡面状態にし、表示器１０、バックライト１０ｃをオフにする（ステップ５０６）。そして、この状態でいずれかのキー操作が行われたどうかを判断する状態（ステップ５０３）に復帰する。
【００４２】
以上、本実施の形態によれば、表示器１０の表示面側にパネル８を設け、このパネル８をキーロック状態において鏡面状態にし、キーロック状態でも着信があると透過状態にするようにし、かつ、応答した場合には、直ちに鏡面状態にするようにしており、鏡面状態では表示器１０が透視できないので、表示器１０、バックライト１０ｃを共にオフさせておくことができ、この状態での電力消費を少なくすることができる。
【００４３】
そして、本実施の形態では、キーロック状態であっても着信があれば、パネル８を透過状態にし、この状態で表示器１０、バックライト１０ｃをオンさせるようにしており、パネル８を通して、表示器１０で表示される着信相手の氏名、電話番号などを明確に視認することができる。
【００４４】
また、本実施の形態によれば、未確認の着信履歴情報や受信メールがあった場合、それを確認するためにパネル８を透過状態にし、確認後は、その確認した着信履歴情報や受信メールを確認済みとし、パネル８及び表示器１０を元の状態（パネル８鏡面状態、表示器１０オフ、バックライト１０ｃオフ）に戻すようにしており、未確認の着信履歴情報や受信メールがあるかどうかを容易に確認することができる。
【００４５】
尚、本実施の形態では、表示器１０として、それ自体は発光しない液晶表示器１０ａを使用し、その液晶表示器１０ａをバックライト１０ｃで適宜照明するようにしているが、バックライト１０ｃは完全に液晶表示器１０ａのオン、オフに同期させてもよく、また、表示器１０としてそれ自体が発光するものを用いても、同様にその表示器１０に供給する電力を適宜段階的に、或いは、オン、オフ制御することにより、同様の効果を得ることができる。
【００４６】
【発明の効果】
以上説明したように、本発明によれば、キーロック状態にすることにより、表示器の表示面側にあるパネルを鏡面状態にすることができ、この状態では、パネルを鏡として化粧やその他の用途に使用することができ、表示器としても、表示オフの状態になっている為、余計な電力消費を必要としないという利点を有する。
【図面の簡単な説明】
【図１】本発明の実施の形態における携帯電話機の概略ブロック図である。
【図２】本発明の実施の形態における携帯電話機の外観正面図である。
【図３】図２に示した携帯電話機の表示器及びパネル部分のＡ−Ａ断面図である。
【図４】本発明の実施の形態における携帯電話機の動作を説明するためのフローチャートである。
【図５】本発明の実施の形態における携帯電話機の動作を説明するためのフローチャートである。
【符号の説明】
１　アンテナ
２　送受信部
３　キー操作部
４　スピーカ
５　マイク
６　レシーバ
７　メモリ
８　パネル
９　パネル制御部
１０　表示器
１１　表示器制御部
１２　中央制御部
【図１】
2004023651.tif 000003
【図２】
2004023651.tif 000004
【図３】
2004023651.tif 000005
【図４】
2004023651.tif 000006
【図５】
2004023651.tif 000007